(57)【要約】コンピューティングシステムは、１又はそれ以上の第１のバッテリを受け入れるベース部と、１又はそれ以上の電子部品を有し、１又はそれ以上の第２のバッテリを受け入れるタブレット部とを含んでよい。タブレット部は、ベース部との間で着脱されるよう構成される。コンピューティングシステムは、ベース部にある１又はそれ以上の第１のバッテリから及びタブレット部にある１又はそれ以上の第２のバッテリからタブレット部の１又はそれ以上の電子部品への電圧の供給を制御する回路を更に含んでよい。
2016503556.tif 000002
【特許請求の範囲】
【請求項１】
１又はそれ以上の第１のバッテリを受け入れるベース部と、
１又はそれ以上の電子部品を有し、１又はそれ以上の第２のバッテリを受け入れ、前記ベース部との間で着脱されるよう構成されるタブレット部と、
前記ベース部にある１又はそれ以上の第１のバッテリから及び前記タブレット部にある１又はそれ以上の第２のバッテリから前記タブレット部の１又はそれ以上の電子部品への電圧の供給を制御する手段と
を有するコンピューティングシステム。
【請求項２】
前記電圧の供給を制御する手段は、交流（ＡＣ）アダプタから前記タブレット部の前記１又はそれ以上の電子部品への電圧の供給を制御する、
請求項１に記載のコンピューティングシステム。
【請求項３】
前記電圧の供給を制御する手段は、前記ベース部にある１又はそれ以上の第１のバッテリから前記タブレット部にある１又はそれ以上の第２のバッテリを充電することを制御する、
請求項１に記載のコンピューティングシステム。
【請求項４】
前記電圧の供給を制御する手段は、前記ベース部にある前記１又はそれ以上の第１のバッテリからの及び、同時に、前記タブレット部にある前記１又はそれ以上の第２のバッテリからの前記タブレット部の前記１又はそれ以上の電子部品への電圧の供給を制御する、
請求項１に記載のコンピューティングシステム。
【請求項５】
前記電圧の供給を制御する手段は、少なくとも前記タブレット部がターボモードにある場合に、前記ベース部にある前記１又はそれ以上の第１のバッテリからの及び前記タブレット部にある前記１又はそれ以上の第２のバッテリからの前記電圧の供給を制御する、
請求項４に記載のコンピューティングシステム。
【請求項６】
前記電圧の供給を制御する手段は、前記タブレット部にある１又はそれ以上の第２のバッテリによる前記ベース部にある１又はそれ以上の第１のバッテリの充電を制御する、
請求項１に記載のコンピューティングシステム。
【請求項７】
１又はそれ以上の第１のバッテリを受け入れるベース部と、
１又はそれ以上の電子部品を有し、１又はそれ以上の第２のバッテリを受け入れ、前記ベース部との間で着脱されるよう構成されるタブレット部と、
前記タブレット部にある１又はそれ以上の第２のバッテリからの前記ベース部にある１又はそれ以上の第１のバッテリの充電を制御する手段と
を有するコンピューティングシステム。
【請求項８】
前記タブレット部にある前記１又はそれ以上の第２のバッテリは、当該コンピューティングシステムが交流（ＡＣ）アダプタへ電気的に結合されていない場合に、前記ベース部にある前記１又はそれ以上の第１のバッテリを充電する、
請求項７に記載のコンピューティングシステム。
【請求項９】
前記充電を制御する手段は、前記ベース部にある１又はそれ以上の第１のバッテリから前記タブレット部にある１又はそれ以上の第２のバッテリを充電することを制御する、
請求項７に記載のコンピューティングシステム。
【請求項１０】
１又はそれ以上の第１のバッテリを受け入れるベース部と、
１又はそれ以上の電子部品を有し、１又はそれ以上の第２のバッテリを受け入れ、前記ベース部との間で着脱されるよう構成されるタブレット部と、
前記ベース部にある１又はそれ以上の第１のバッテリから及び前記タブレット部にある１又はそれ以上の第２のバッテリから前記タブレット部の１又はそれ以上の電子部品への電圧の供給を制御する回路と
を有するコンピューティングシステム。
【請求項１１】
前記回路は、交流（ＡＣ）アダプタから前記タブレット部の前記１又はそれ以上の電子部品への電圧の供給を制御する、
請求項１０に記載のコンピューティングシステム。
【請求項１２】
前記回路は、前記ベース部にある１又はそれ以上の第１のバッテリから前記タブレット部にある１又はそれ以上の第２のバッテリを充電することを制御する、
請求項１０に記載のコンピューティングシステム。
【請求項１３】
前記回路は、前記ベース部にある前記１又はそれ以上の第１のバッテリからの及び、同時に、前記タブレット部にある前記１又はそれ以上の第２のバッテリからの前記タブレット部の前記１又はそれ以上の電子部品への電圧の供給を制御する、
請求項１０に記載のコンピューティングシステム。
【請求項１４】
前記回路は、少なくとも前記タブレット部がターボモードにある場合に、前記ベース部にある前記１又はそれ以上の第１のバッテリからの及び前記タブレット部にある前記１又はそれ以上の第２のバッテリからの前記電圧の供給を制御する、
請求項１３に記載のコンピューティングシステム。
【請求項１５】
前記回路は、前記タブレット部にある１又はそれ以上の第２のバッテリによる前記ベース部にある１又はそれ以上の第１のバッテリの充電を制御する、
請求項１０に記載のコンピューティングシステム。
【請求項１６】
１又はそれ以上の第１のバッテリを受け入れるベース部と、
１又はそれ以上の電子部品を有し、１又はそれ以上の第２のバッテリを受け入れ、前記ベース部との間で着脱されるよう構成されるタブレット部と、
前記タブレット部にある１又はそれ以上の第２のバッテリからの前記ベース部にある１又はそれ以上の第１のバッテリの充電を制御する回路と
を有するコンピューティングシステム。
【請求項１７】
前記タブレット部にある前記１又はそれ以上の第２のバッテリは、当該コンピューティングシステムが交流（ＡＣ）アダプタへ電気的に結合されていない場合に、前記ベース部にある前記１又はそれ以上の第１のバッテリを充電する、
請求項１６に記載のコンピューティングシステム。
【請求項１８】
前記回路は、前記ベース部にある１又はそれ以上の第１のバッテリから前記タブレット部にある１又はそれ以上の第２のバッテリを充電することを制御する、
請求項１６に記載のコンピューティングシステム。
【請求項１９】
少なくとも一部がハードウェアであるロジックを有し、
前記ロジックは、着脱可能なコンピューティングシステムのタブレット部の１又はそれ以上の電子部品へベース部の１又はそれ以上の第１のバッテリから及び前記タブレット部の１又はそれ以上の第２のバッテリから電圧を供給する回路を制御する、
装置。
【請求項２０】
前記ロジックは、前記ベース部にある１又はそれ以上の第１のバッテリから前記タブレット部にある１又はそれ以上の第２のバッテリへ電圧を供給する回路を制御する、
請求項１９に記載の装置。
【請求項２１】
前記ロジックは、前記ベース部にある前記１又はそれ以上の第１のバッテリから及び、同時に、前記タブレット部にある前記１又はそれ以上の第２のバッテリから前記タブレット部の前記１又はそれ以上の電子部品への電圧の供給を制御する回路を制御する、
請求項１９に記載の装置。
【請求項２２】
前記ロジックは、少なくとも前記タブレット部がターボモードにある場合に、前記ベース部にある前記１又はそれ以上の第１のバッテリから及び前記タブレット部にある前記１又はそれ以上の第２のバッテリから前記タブレット部の前記１又はそれ以上の電子部品へ電圧を供給する回路を制御する、
請求項１９に記載の装置。
【請求項２３】
前記ロジックは、前記タブレット部にある１又はそれ以上の第２のバッテリによる前記ベース部にある１又はそれ以上の第１のバッテリの充電を制御する回路を制御する、
請求項１９に記載の装置。
【請求項２４】
少なくとも一部がハードウェアであるロジックを有し、
前記ロジックは、着脱可能なコンピューティングシステムのベース部にある１又はそれ以上の第１のバッテリから前記着脱可能なコンピューティングシステムのタブレット部にある１又はそれ以上の第２のバッテリへ電圧を供給する回路を制御する、
装置。
【請求項２５】
前記ロジックは、前記タブレット部にある１又はそれ以上の第２のバッテリによる前記ベース部にある１又はそれ以上の第１のバッテリの充電を制御する回路を制御する、
請求項２４に記載の装置。
【発明の詳細な説明】
【技術分野】
【０００１】
実施形態は、第１のバッテリ及び第２のバッテリを備える着脱可能なコンピューティングシステムに関連してよい。
【背景技術】
【０００２】
着脱可能なコンピューティングシステムは、連結され得るか、あるいは、互いから切り離され得るタブレット又はベースを含んでよい。バッテリは、コンピューティングシステムに給電するために使用されてよい。
【図面の簡単な説明】
【０００３】
配置及び実施形態は、以下の図面を参照して詳細に記載され得る。図面において、同じ参照符号は、同じ要素を参照する。
【図１】例となる実施形態に従って、２つのバッテリを備える着脱可能なコンピューティングシステムのための電源供給回路を示す。
【図２】例となる実施形態に従って、双方向の電力フローを可能にするタブレットのための電源供給回路を示す。
【図３】他の例となる実施形態に従って、着脱可能なコンピューティングシステムのための電源供給回路を示す。
【発明を実施するための形態】
【０００４】
以下の詳細な説明において、同じ数字及び文字は、異なる図面において同一の、対応する及び／又は類似した構成要素を示すために使用されてよい。更に、続く詳細な記載において、例となるサイズ／モデル／値／範囲が与えられることがあるが、実施形態はそれらに制限されない。具体的な詳細が例となる実施形態を記述するために説明される場合に、当業者には当然ながら、実施形態は、それらの具体的な詳細によらずに実施されてよい。
【０００５】
着脱可能なコンピューティングシステムは、ベース部へ着脱可能に結合され得るディスプレイ又はタブレット部を有してよい。ディスプレイ又はタブレット部は、ベース部から切り離されて、ユーザがディスプレイ又はタブレット部をタブレット型のコンピューティングシステムとして操作することを可能にするよう構成されてよい。ベース部に取り付けられる場合に、ディスプレイ又はタブレット部は、ディスプレイ又はタッチ検知式ディスプレイ装置として使用されてよい。
【０００６】
少なくとも１つの実施形態において、着脱可能なコンピューティングシステムは、ディスプレイ又はタブレット部がベース部に取り付けられる場合に、ノートブック又はラップトップ構成をとってよい。ベース部は、ユーザが情報を着脱可能なコンピューティングシステムに入力することを可能にするよう、キーボード、タッチパッド、及び／又はタッチ検知式ディスプレイ装置を有してよい。少なくとも１つの実施形態において、ベース部は、ドッキングステーションであってよい。ディスプレイ又はタブレット部は、あらゆる適切な様式において、例えば、１又はそれ以上の適切なドッキング接続を用いて、ベース部へ着脱可能に結合されてよい。
【０００７】
ディスプレイ又はタブレット部は、以降、タブレットと呼ばれ得る。ベース部は、以降、ベースと呼ばれ得る。
【０００８】
少なくとも１つの実施形態において、タブレットは、コンピューティング装置として作動するよう、あらゆる適切な１又はそれ以上の電子部品を含んでよい。少なくとも１つの実施形態において、タブレットは、例えば、不揮発性メモリ又は記憶装置のような、少なくとも１つの非一時的なコンピュータ可読媒体からの命令を実行するよう、あらゆる適切な１又はそれ以上のプロセッサ、プロセッサコア又はコントローラを含んでよい。少なくとも１つの実施形態において、タブレットは、１又はそれ以上のプロセッサコアと、例えば、入力／出力ブロック、メモリコントローラ、１又はそれ以上のグラフィクスプロセッサ、埋込型コントローラ、充電器コントローラ、等のような、あらゆる適切な１又はそれ以上の他の機能ブロックとを備えるシステム・オン・チップ（ＳｏＣ）を含んでよい。少なくとも１つの実施形態において、タブレットは、ネットワーク上で無線により通信するよう、あらゆる適切な通信装置を含んでよい。
【０００９】
少なくとも１つの実施形態において、着脱可能なコンピューティングシステムは、性能引き上げモード（すなわち、ターボブーストモード）をサポートしてよい。性能引き上げモードは、ターボモードであってよい。少なくとも１つの実施形態において、着脱可能なコンピューティングシステムは、性能引き上げモードをサポートしながら、滑らかな、効率的な及び／又はユーザフレンドリーな様式において作動してよい。
【００１０】
着脱可能なコンピューティングシステムは、２つのバッテリ、すなわち、タブレットにある第１のバッテリ（バッテリ１）と、ベースにある第２のバッテリ（バッテリ２）とを受け入れて（又は含んで）よい。着脱可能なコンピューティングシステムは、第２のバッテリ（ベースにある。）が第１のバッテリ（タブレットにある。）と比べて容量が著しく低い場合に作動してよい。着脱可能なコンピューティングシステムはまた、エンドユーザ・エクスペリエンスを高めるよう、第１のバッテリ（タブレットにある。）又は第２のバッテリ（ベースにある。）のいずれか一方が完全に放電されている（又は所定の最小値を下回る）場合に作動してよい。
【００１１】
第１のバッテリは、タブレットのバッテリポートで受け入れられてよい。第２のバッテリは、ベースのバッテリポートで受け入れられてよい。
【００１２】
第１のバッテリ及び第２のバッテリに関連して記載されているが、実施形態は、１よりも多いバッテリを（第１のバッテリの代わりに）タブレットにおいて、及び／又は１よりも多いバッテリを（第２のバッテリの代わりに）ベースにおいて利用してよい。
【００１３】
実施形態は、少なくとも１つのバッテリを受け入れるベース（部）と、少なくとも１つの電子部品を有する、少なくとも１つのバッテリを受け入れるタブレット（部）とを含むコンピューティングシステムを提供してよい。タブレット（部）は、ベース（部）へ結合され且つ該ベース（部）から切り離されるよう構成されてよい。コンピューティングシステムは、ベースにある少なくとも１つのバッテリから及びタブレットにある少なくとも１つの第２のバッテリからタブレット部の少なくとも１つの電子部品への電圧の供給を制御する回路を更に含んでよい。タブレットは回路を含んでよく、ベースは回路を含んでよい。
【００１４】
図１は、例となる実施形態に従って、２つのバッテリを備える着脱可能なコンピューティングシステムのための電源供給回路を示す。他の実施形態及び構成がまた提供されてよい。
【００１５】
図１は、タブレット１０及びベース１００を含む着脱可能なコンピューティングシステムを示す。タブレット１０は、ドッキングコネクタ（又はドッキング部材）によってベース１００へ取り付けられ、結合され、及び／又はドッキングされてよい。議論の容易のために、タブレット１０は、ベース１００へ（ドッキングコネクタを介して）ドッキングされるか又はドッキングされないと見なされてよい。少なくとも１つの実施形態において、ドッキングコネクタは、タブレット１０の部分と見なされてよい。少なくとも１つの実施形態において、ドッキングコネクタは、ベース１００の部分と見なされてよい。
【００１６】
図１は、図１の右側にタブレット１０の電源供給回路構成（又は回路）を示す。図１は、図１の左側にベース１００の電源供給回路構成（又は回路）を示す。
【００１７】
図１は、タブレット１０がベース１００にドッキングされていない（すなわち、ベース１００から切り離されている）場合にタブレット１０へ電気的に接続することができる交流（ＡＣ）アダプタ９０を示す。ＡＣアダプタ９０は、タブレット１０をベース１００へ結合するためのドッキングコネクタの部分であるコネクタ部材へ電気的に接続され得る。
【００１８】
ＡＣアダプタ９０は、電圧（又は電力）をタブレット１０へ供給してよい。
【００１９】
図１は、タブレット１０がドッキングコネクタの部分を介してベース１００にドッキングされている場合、又はタブレット１０がベース１００にドッキングされていない場合のいずれかにおいて、ベース１００へ電気的に接続することができるＡＣアダプタ１９０を更に示す。ＡＣアダプタ１９０は、ベース１０の入力ポートへ結合されてよい。
【００２０】
タブレット１０は、バッテリ５０（すなわち、タブレットバッテリ）を充電するためのタブレットバッテリ充電器を含んでよい。バッテリ５０は、タブレット１０のバッテリポートに設けられてよい。タブレットバッテリ充電器は、スイッチ１２，１４、インダクタ１６、及び充電器検知抵抗２２，２４を含んでよい。スイッチ１２，１４は夫々、例えば、並列結合された電界効果トランジスタ（ＦＥＴ）及びダイオードを含んでよい。タブレットバッテリ充電器の他の構成がまた提供されてよい。
【００２１】
タブレット１０は、タブレット１０への入力を受けるよう直列結合されたスイッチ３２及びスイッチ３４を更に含んでよい。タブレット１０への入力は、タブレット１０がベース１００にドッキングされていない場合に、ＡＣアダプタ９０からの入力電圧であってよい。タブレット１０への入力は、タブレット１０がドッキングコネクタを介してベース１００にドッキングされている場合に、ベース１００からの入力電圧であってよい。
【００２２】
直列結合されているスイッチ３２及び３４は、パスＦＥＴと見なされてよい。スイッチ３２及び３４は夫々、例えば、並列結合されたＦＥＴ及びダイオードを含んでよい。
【００２３】
タブレット１０は、直列結合されたスイッチ３６及びダイオード３８を更に含んでよい。スイッチ３６及びダイオード３８は、タブレット１０からベース１００へ電力を導くために使用されてよい。少なくとも１つの実施形態において、スイッチ３６は、設けられなくてよく、その機能は、スイッチ３４によって実行されてよい。
【００２４】
タブレット１０は、電圧（又は電力）をタブレット１０の電子部品へ供給するための少なくとも１つの電力レール４０を含んでよい。電子部品は、タブレットシステムとも呼ばれ得る。スイッチ４２は、電力レール４０とタブレットバッテリ５０との間に結合されてよい。スイッチ４２は、タブレットバッテリ５０（バッテリ１）のための保護ＦＥＴと見なされてよい。スイッチ４２は、例えば、並列結合されたＦＥＴ及びダイオードを含んでよい。
【００２５】
タブレット１０は、充電器コントローラ６０及び埋込型コントローラ７０を更に含んでよい。少なくとも１つの実施形態において、充電器コントローラ６０及び埋込型コントローラ７０は、単一のコントローラとして構成されてよい。充電器コントローラ６０及び／又は埋込型コントローラ７０は、タブレット１０の回路を制御するためのロジック、ハードウェア、及び／又はソフトウェアを収容してよい。
【００２６】
充電器コントローラ６０は、タブレットバッテリ５０の充電を制御し且つＡＣアダプタ９０を過電流から保護するよう作動してよい。埋込型コントローラ７０は、例えば、タブレットバッテリ５０の充電電流及び電圧コマンド並びにＡＣアダプタ９０の最大電流（又は、タブレット１０がドッキングされている場合に最大ベース電流）のような情報を充電器コントローラ６０へ提供してよい。
【００２７】
充電器コントローラ６０及び／又は埋込型コントローラ７０は、制御信号をタブレット１０のスイッチ１２，１４，３２，３４，３６，４２の夫々へ供給してよい。制御信号は、夫々のスイッチをオン又はオフのいずれかに切り替えてよい。
【００２８】
ベース１００は、バッテリ１５０（すなわち、ベースバッテリ）を充電するためのベースバッテリ充電器を含んでよい。バッテリ１５０は、ベース１００のバッテリポートに設けられてよい。ベースバッテリ充電器は、スイッチ１１２，１１４、インダクタ１１６及び充電器検知抵抗１２２，１２４を含んでよい。スイッチ１１２，１１４は夫々、例えば、並列結合されたＦＥＴ及びダイオードを含んでよい。ベースバッテリ充電器の他の構成がまた提供されてよい。
【００２９】
ベース１００は、入力電力を、例えば、ＡＣアダプタ１９０から、受け取るよう直列結合されたスイッチ１３２及びスイッチ１３４を更に含んでよい。直列結合されているスイッチ１３２及び１３４は、パスＦＥＴと見なされてよい。スイッチ１３２及び１３４は夫々、例えば、並列結合されたＦＥＴ及びダイオードを含んでよい。
【００３０】
ベース１００は、電圧（又は電力）をベース１００の電子部品へ供給するための、及び／又はタブレット１０が（ドッキングコネクタを介して）ベース１００にドッキングされている場合に電圧をタブレット１０へ供給するための、少なくとも１つの電力レール１４０を含んでよい。電子部品は、ベースシステムとも呼ばれ得る。スイッチ１４２及びスイッチ１４４は、電力レール１４０とベースバッテリ１５０との間に直列に設けられてよい。スイッチ１４２は、ベースバッテリ１５０（バッテリ２）のための保護ＦＥＴと見なされてよい。スイッチ１４２，１４４は夫々、例えば、並列結合されたＦＥＴ及びダイオードを含んでよい。少なくとも１つの実施形態において、スイッチ１４４は、アイソレーションＦＥＴであってよく、ベースバッテリ１５０をベース１００の電力レール１４０から分断することができる。
【００３１】
ベース１００は、充電器コントローラ１６０及び埋込型コントローラ１７０を更に含んでよい。少なくとも１つの実施形態において、充電器コントローラ１６０及び埋込型コントローラ１７０は、単一のコントローラとして構成されてよい。充電器コントローラ１６０及び／又は埋込型コントローラ１７０は、タブレット１０の回路を制御するためのロジック、ハードウェア、及び／又はソフトウェアを収容してよい。
【００３２】
充電器コントローラ１６０は、ベースバッテリ１５０の充電を制御し且つＡＣアダプタ１９０を過電流から保護するよう作動してよい。埋込型コントローラ１７０（ＥＣ２）は、例えば、ベースバッテリ１５０の充電電流及び電圧コマンド並びにＡＣアダプタ１９０の最大電流のような情報を充電器コントローラ１６０へ提供してよい。
【００３３】
充電器コントローラ１６０及び／又は埋込型コントローラ１７０は、制御信号をベース１００のスイッチ１１２，１１４，１３２，１３４，１４２，１４４の夫々へ供給してよい。制御信号は、夫々のスイッチをオン又オフのいずれかに切り替えてよい。
【００３４】
タブレット１０の埋込型コントローラ７０は、ドッキングコネクタを介してベース１００の埋込型コントローラ１７０と通信してよい。
【００３５】
スイッチ３２，３４，４２，１３２，１３４及び／又は１４２（すなわち、パスＦＥＴ）は夫々、ｐチャネルＦＥＴ又はｎチャネルＦＥＴであってよい。
【００３６】
充電器コントローラ６０、埋込型コントローラ７０、充電器コントローラ１６０、及び／又は埋込型コントローラ１７０は、示されているように機能するよう、少なくとも一部分がハードウェアにある何らかの適切なロジックを用いて実施されてよい。一実施形態に関し、充電器コントローラ６０、埋込型コントローラ７０、充電器コントローラ１６０、及び／又は埋込型コントローラ１７０のうちのいずれか１以上は、示されているように機能するよう、ハードウェアロジックにおいて実施されてよい。少なくとも１つの実施形態において、充電器コントローラ６０、埋込型コントローラ７０、充電器コントローラ１６０、及び／又は埋込型コントローラ１７０のうちのいずれか１以上は、少なくとも１つの非一時的なコンピュータ可読媒体からのソフトウェア及び／又はファームウェアの命令を実行することができるハードウェアロジックにより実施されてよい。命令は、コンピュータ可読媒体から提供され得るコードの形をとってよい。
【００３７】
少なくとも１つの実施形態において、ベースバッテリ１５０は、タブレットバッテリ５０よりも高い出力電圧を有してよい。少なくとも１つの実施形態において、ベースバッテリ１５０は、直列に設けられた３又は４のセルを有してよく、一方、タブレットバッテリ５０は、直列に設けられた、例えば、２つのセル又は３つのセルといった、より少ないセルを有してよい。
【００３８】
少なくとも１つの実施形態において、ベースバッテリ１５０の電圧は、タブレットバッテリ５０の電圧よりも十分に大きくてよい。これは、２バッテリ式の着脱可能なコンピューティングシステムのユーザフレンドリーな動作を可能にすることができる。
【００３９】
タブレット１０がドッキングコネクタを介してベース１００にドッキングされていない（すなわち、ベース１０から取り外されている）場合に、タブレット１０はコンピュータとして作動してよい。ＡＣアダプタ９０は、ドッキングコネクタの少なくとも１つの接点と同じ電気点（又は同じ電気接続）でタブレット１０に取り付けられてよい。
【００４０】
タブレットバッテリ５０のバックドライブを防ぐために、ＡＣアダプタ９０がタブレット１０から電気的に切り離されている場合に、スイッチ３４及び３６は、埋込型コントローラ７０及び／又は充電器コントローラ６０によってオフされてよい。
【００４１】
タブレット１０が性能引き上げモードにある（且つ、ベース１００にドッキングされていない）場合に、タブレットバッテリ５０は、最大アダプタ電力がシステム電力要求よりも低いときはＡＣアダプタ９０を補ってよい。性能引き上げモードはターボモードとも呼ばれ得る。
【００４２】
タブレット１０が（ドッキングコネクタを介して）ベース１００にドッキングされていない場合に、ベース１００はまた、ベースバッテリ１５０を充電するよう、及び／又は電力をベース１００の電子部品へ供給するよう、ＡＣアダプタ１９０へ電気的に接続されてよい。
【００４３】
タブレット１０がドッキングコネクタを介してベース１００にドッキングされている（すなわち、ＡＣアダプタ９０がタブレット１０へ結合されていない）場合に、ベースバッテリ１５０は、ＡＣアダプタ１９０と同じようにコンピューティングシステムによって扱われてよく、ベースバッテリ１５０は、コンピューティングシステムをサポートし且つタブレットバッテリ５０を充電するために使用されてよい。
【００４４】
タブレット充電器の入力電流制限は、ベースバッテリ１５０の最大電流と等しいよう変更され、このようにして、ベースバッテリ１５０が、許容されるよりも大きい電力を供給することを防ぐことができる。この例において、着脱可能なコンピューティングシステムがベースバッテリ１５０の指定の最大出力電力よりも大きい電力を必要とする場合は、タブレットバッテリ５０は、タブレット充電器を通じてベースバッテリ１５０を補ってよい。ベースバッテリ１５０の電圧はタブレットバッテリ５０の電圧よりも大きいので、タブレット充電器は、ベースバッテリ１５０を、ＡＣアダプタ１９０と同じであると見なしてよく（なお、それは、ＡＣアダプタ１９０とは電力容量が異なってよい。）、タブレット充電器は、自動的にスイッチ４２をオフし、スイッチ３２及び３４をオンしてよい。このことは、電力がベース１００からタブレット１０へ供給されることを可能にすることができる。コンピューティングシステムがベースバッテリ１５０の容量よりも大きい電力を消費する場合は、タブレットバッテリ５０は、例えば、ターボモードにおいて、ベースバッテリ１５０を補うために使用されてよい。
【００４５】
ベースバッテリ１５０が放電される（すなわち、所定の最小値以下に放電される）場合に、ベース１００の埋込型コントローラ１７０はスイッチ１４４をオフしてよく、タブレット１０はタブレットバッテリ５０に基づき作動してよい。ダイオード３８及びスイッチ３６（オンされている。）は、ベースバッテリ１５０が放電されている（又は所定の最小値を下回る）場合に、ベース１００がタブレットバッテリ５０によって給電されることを可能にするよう作動してよい。より具体的に、スイッチ３６は、タブレット１０がドッキングコネクタを介してベース１００にドッキングされている場合にオンされてよい。ダイオード３８は、幾つかの環境下で、例えば、ベースバッテリ１５０がベース１００の電力レール１４０へ接続されているか、若しくは、タブレットバッテリ５０がベース１００及びタブレット１０に給電するために使用されている場合に、及び／又は、ユーザが突然にＡＣアダプタ１９０をベース１００へ接続する場合に、保護を提供してよい。ダイオード３８は、逆バイアスをかけられて、導通を停止してよく、ベース１００は、スイッチ３２及び３４がタブレット充電器によってオンされ且つスイッチ４２（すなわち、タブレットバッテリ５０の保護スイッチ）がオフされるまで、タブレット１０から分離されてよい。
【００４６】
少なくとも１つの実施形態において、回路は、ベースバッテリ１５０から及びタブレットバッテリ５０から同時にタブレット１０の少なくとも１つの電子部品へ電圧を供給してよい。
【００４７】
少なくとも１つの実施形態において、回路は、タブレットバッテリ５０からのベースバッテリ１５０の充電を制御してよい。
【００４８】
スイッチ３２及び３４がｐ−ＦＥＴを含む実施形態において、タブレット構成は異なってよい。より具体的には、図２は、ダイオード３８及びスイッチ３６が両方とも設けられていない実施形態を示す。
【００４９】
図２は、例となる実施形態に従って、双方向の電力フローを可能にするタブレットのための電源供給回路を示す。他の実施形態及び構成がまた提供されてよい。
【００５０】
図２は、スイッチ３２及び３４がｐ−ＦＥＴであることを示す。ｐ−ＦＥＴはパスＦＥＴと見なされてよい。図２は、図１に示されているスイッチ３６及びダイオード３８を含まない。それは、それらがこの実施形態では必要とされ得ないからである。
【００５１】
図２は、分圧器（抵抗８２，８４を含む。）と、コンパレータ８６と、スイッチ９２，９４及び９６とを示す。スイッチ９２，９４，９６は夫々、例えば、並列結合されたＦＥＴ及びダイオードを含んでよい。
【００５２】
タブレット入力電圧は、（例えば、ＡＣアダプタ９０から）分圧器へ供給されてよい。入力電圧は、分圧器の抵抗８２及び８４によって分割されてよく、分割された電圧は、コンパレータ８６の入力部へ供給されてよい。
【００５３】
コンパレータ８６は、（分圧器からの）分割された電圧をリファレンス電圧（Ｖｒｅｆ）と比較し、比較に基づき出力電圧を供給してよい。例えば、分割された電圧がリファレンス電圧よりも大きい場合に、（コンパレータ８６からの）出力電圧はスイッチ９２及び９４の夫々へ供給されてよい。
【００５４】
スイッチ９６は、埋込型コントローラ７０（又は独立した論理回路）から“ＤＯＣＫＥＤ”論理信号を受信してよい。“ＤＯＣＫＥＤ”論理信号は、タブレット１０がドッキングコネクタを介してベース１００にドッキングされていることを表してよい。
【００５５】
スイッチ３４は、スイッチ９２又はスイッチ９６のいずれか一方から制御信号を受信してよい。
【００５６】
スイッチ９２は、スイッチ３４をオン又はオフすることによってスイッチ３４を制御するために使用されてよい。スイッチ９４は、スイッチ３２をオン又はオフすることによってスイッチ３２を制御するために使用されてよい。時間遅延のための抵抗−キャパシタ（ＲＣ）回路は、スイッチ９４及び３２の高速なターンオフを可能にしながら、スイッチ９４及び３２のターンオンを遅らせるために、スイッチ９４に使用されてよい。
【００５７】
スイッチ３４（すなわち、パスＦＥＴ）は、埋込型コントローラ７０（又は独立した論理回路）からの“ＤＯＣＫＥＤ”論理信号に基づき、スイッチ９６によって独立してオンされてよい。
【００５８】
タブレット１０がドッキングコネクタを介してベース１００にドッキングされる場合に、スイッチ３４は、（埋込型コントローラ７０が保護を理由にスイッチ３４をオフしない限り）オンされてよい。ベースバッテリ１５０が放電されている（又は所定の最小値を下回る）とコンピューティングシステムが判断する場合に、スイッチ１４４はオフされてよく、タブレットバッテリ５０は、（最初にスイッチ３２のボディダイオードとして導通することができ、次いで、タブレット充電器又は埋込型コントローラ７０のいずれかによってパスＦＥＴとしてオンされ得るスイッチ４２を通じて）電圧をタブレット１０へ供給してよい。
【００５９】
タブレットバッテリ５０はまた、スイッチ３４（すなわち、パスＦＥＴ）（ドッキングの間オンされ得る。）及びスイッチ３２のボディダイオード（すなわち、スイッチ３２自体はオフされ得る。）を通じてベース１００をサポートしてよい。このように、タブレットバッテリ５０は、ベースバッテリ１５０が放電されており且つコンピューティングシステムによってオフされている場合にベース１００をシームレスにサポートする能力を有することができる。ショットキーダイオードがまた、電圧降下を減らし且つタブレット１０からベース１００へのより多くの電力伝送を可能にするために、スイッチ３２と並列に（スイッチ３２のボディダイオードと同じ方向において）設けられてよい。
【００６０】
タブレット１０がドッキングコネクタを介してベース１００にドッキング（又は接続）されており、且つ、ＡＣアダプタ１９０がコンピューティングシステムに給電するために使用される場合に、タブレットバッテリ５０は最初に充電されてよく、一方、ベース充電器電流は０に設定されてよい。タブレットバッテリ５０が完全に充電される（又は、一定の電流レベル以上に充電される）場合に、ベース充電器はベースバッテリ１５０を充電してよく、一方、タブレット充電器は０充電電流に設定されてよい（あるいは、タブレット充電器は、低電圧モード又はトリクル充電モードにあってよい）。
【００６１】
着脱可能なコンピューティングシステムの電力消費がＡＣアダプタ１９０の電力容量よりも大きくなる場合は、ベースバッテリ１５０又はタブレットバッテリ５０はアダプタ電力を補ってよい。これは、バッテリ電力容量に基づき行われてよい。ベースバッテリ１５０の電力容量が性能引き上げモード（又はターボモード）をサポートするのに十分である場合は、ベース充電器のハイブリッド電力ブーストモードが提供されてよい。ベースバッテリ１５０の電力容量が不十分である場合は、タブレットバッテリ５０はＡＣアダプタ１９０を補うために使用されてよい。
【００６２】
ＡＣアダプタ１９０がベース１００へ電気的に結合されている間に、コンピューティングシステムがオフされるか、あるいは、使用されていない場合に、タブレットバッテリ５０及びベースバッテリ１５０は両方とも、総電力がＡＣアダプタ１９０の制限を超えない限り、同時に独立して充電されてよい。
【００６３】
少なくとも１つの実施形態において、埋込型コントローラ７０及び埋込型コントローラ１７０は、例えば、タブレットバッテリ５０及び／又はベースバッテリ１５０のステータス、及び／又はＡＣアダプタ１９０若しくはベースバッテリ１５０によって供給されるベース１００からタブレット１０への電力のソースといった情報に関して、互いと通信してよい。
【００６４】
図３は、他の例となる実施形態に従って、着脱可能なコンピューティングシステムのための電源供給回路を示す。他の実施形態及び構成がまた提供されてよい。
【００６５】
図３は、ベース１００とタブレット１０との間のドッキングコネクタにおいて設けられる２つの別個の電力経路を示す。図３は、ベース１００からタブレット１０への第１の電力経路２０２を示す。第１の電力経路２０２において、電力は、ベース１００からタブレット１０へのみ流れることができる。図３は、タブレット１０からベース１００への第２の電力経路２０４を更に示す。第２の電力経路２０４において、電力は、タブレット１０からベース１００へのみ流れることができる。
【００６６】
タブレット１０がドッキングコネクタを介してベース１００にドッキングされる場合に、ＡＣアダプタ１９０又はベースバッテリ１５０のいずれかが、（ベース１００からタブレット１０への）第１の電力経路２０２を介して電力（又は電圧）をタブレット１０へ供給してよい。
【００６７】
電力（又は電圧）はまた、ベース１００に給電するために、タブレット１０からベース１００へ第２の電力経路２０４に沿って供給されてよい。
【００６８】
タブレット１０は、直列結合されているスイッチ３２及び３４と、電力レール４０とバッテリ５０との間に結合されているスイッチ４２とを含む。図３は、図１の実施形態と同様の構成要素を含むことができるバッテリ充電器２１０を更に示す。タブレットシステム３１０は、タブレット１０の電子部品を含んでよい。
【００６９】
ベース１００は、直列結合されているスイッチ１３２及び１３４と、電力レール１４０とバッテリ１５０との間に結合されているスイッチ１４２とを含む。図３は、図１の実施形態と同様の構成要素を含むことができるベース充電器２６０を更に示す。ベースシステム３２０は、ベース１００の電子部品を含んでよい。
【００７０】
タブレット１０は、電力経路２０４に沿ってスイッチ２０６を更に含んでよい。ベース１００は、電力経路２０４に沿ってスイッチ２５２及びスイッチ２５４を更に含んでよい。スイッチ２０６，２５２及び２５４は夫々、例えば、並列結合されたＦＥＴ及びダイオードを含んでよい。
【００７１】
スイッチ２０６及び２５２の夫々は、埋込型コントローラ７０，１７０（又は独立した論理回路）から供給されるドッキング信号（すなわち、“ＤＯＣＫＥＤ”論理信号）によって制御されてよい。例えば、タブレット１０がドッキングコネクタを介してベース１００にドッキングされる場合に、スイッチ２０６及び２５２は両方ともオンされてよい。タブレット１０がベース１００にドッキングされない場合に、スイッチ２０６及び２５２は両方とも、ドッキングコネクタにおける露出された接点上での潜在的な短絡を防ぐようオフであってよい。
【００７２】
加えて、ベース１００のスイッチ２５４は、タブレット１０がドッキングコネクタを介してベース１００にドッキングされる場合に、オフであってよく、スイッチ２５４は、タブレット１０がベース１００にドッキングされておらず、且つ、ＡＣアダプタ１９０がベース１００へ電気的に接続されている場合に、オンであってよい。このことは、タブレット１０がベース１００にドッキングされていない場合に、埋込型コントローラ１７０及びベース充電器２６０が給電されて、ベースバッテリ１５０を充電することを可能にすることができる。
【００７３】
タブレット充電器２１０は、夫々のスイッチをオン又はオフするよう制御信号を供給することによって、タブレット１０のスイッチ３２，３４，４２を制御してよい。ベース充電器２６０は、夫々のスイッチをオン又はオフするよう制御信号を供給することによって、ベース１００のスイッチ１３２，１３４，１４２を制御してよい。ベース１００におけるベースバッテリ１５０が放電されており、ＡＣアダプタ１９０がベース１００へ電気的に結合（又はベース１００にプラグイン）されていない場合に、埋込型コントローラ７０は、スイッチ３２をオフしてよく、コンピューティングシステム全体は、タブレットバッテリ５０で作動してよい。
【００７４】
少なくとも１つの実施形態において、コンピューティングシステムは、１又はそれ以上の第１のバッテリを受け入れるベース部（又はベース）と、１又はそれ以上の電子部品を有するタブレット部（又はタブレット）とを有してよい。タブレット部は、１又はそれ以上の第２のバッテリを受け入れ、タブレット部は、ベース部との間で着脱されるよう構成される。コンピューティングシステムは、ベース部にある１又はそれ以上の第１のバッテリから及びタブレット部にある１又はそれ以上の第２のバッテリからタブレット部の１又はそれ以上の電子部品への電圧の供給を制御する手段を更に有してよい。
【００７５】
電圧の供給を制御する手段は、交流（ＡＣ）アダプタからタブレット部の１又はそれ以上の電子部品への電圧の供給を制御する。
【００７６】
電圧の供給を制御する手段は、ベース部にある１又はそれ以上の第１のバッテリからタブレット部にある１又はそれ以上の第２のバッテリを充電することを制御する。
【００７７】
電圧の供給を制御する手段は、ベース部にある１又はそれ以上の第１のバッテリからの及び、同時に、タブレット部にある１又はそれ以上の第２のバッテリからのタブレット部の１又はそれ以上の電子部品への電圧の供給を制御する。
【００７８】
電圧の供給を制御する手段は、少なくともタブレット部がターボモードにある場合に、ベース部にある１又はそれ以上の第１のバッテリからの及びタブレット部にある１又はそれ以上の第２のバッテリからの電圧の供給を制御する。
【００７９】
電圧の供給を制御する手段は、タブレット部にある１又はそれ以上の第２のバッテリによってベース部にある１又はそれ以上の第１のバッテリを充電することを制御する。
【００８０】
少なくとも１つの実施形態において、コンピューティングシステムは、１又はそれ以上の第１のバッテリを受け入れるベース部（又はベース）と、１又はそれ以上の電子部品を有するタブレット部（又はタブレット）とを有してよい。タブレット部は、１又はそれ以上の第２のバッテリを受け入れ、タブレット部は、ベース部との間で着脱されるよう構成される。コンピューティングシステムは、タブレット部にある１又はそれ以上の第２のバッテリからのベース部にある１又はそれ以上の第１のバッテリの充電を制御する手段を更に有してよい。
【００８１】
タブレット部にある１又はそれ以上の第２のバッテリは、コンピューティングシステムが交流（ＡＣ）アダプタへ電気的に結合されていない場合に、ベース部にある１又はそれ以上の第１のバッテリを充電する。
【００８２】
充電を制御する手段は、ベース部にある１又はそれ以上の第１のバッテリからタブレット部にある１又はそれ以上の第２のバッテリを充電することを制御する。
【００８３】
少なくとも１つの実施形態において、コンピューティングシステムは、１又はそれ以上の第１のバッテリを受け入れるベース部（又はベース）と、１又はそれ以上の電子部品を有するタブレット部（又はタブレット）とを有してよい。タブレット部は、１又はそれ以上の第２のバッテリを受け入れ、タブレット部は、ベース部との間で着脱されるよう構成される。コンピューティングシステムは、ベース部にある１又はそれ以上の第１のバッテリから及びタブレット部にある１又はそれ以上の第２のバッテリからタブレット部の１又はそれ以上の電子部品への電圧の供給を制御する回路を更に有してよい。
【００８４】
回路は、交流（ＡＣ）アダプタからタブレット部の１又はそれ以上の電子部品への電圧の供給を制御する。
【００８５】
回路は、ベース部にある１又はそれ以上の第１のバッテリからタブレット部にある１又はそれ以上の第２のバッテリを充電することを制御する。
【００８６】
回路は、ベース部にある１又はそれ以上の第１のバッテリからの及び、同時に、タブレット部にある１又はそれ以上の第２のバッテリからのタブレット部の１又はそれ以上の電子部品への電圧の供給を制御する。
【００８７】
回路は、少なくともタブレット部がターボモードにある場合に、ベース部にある１又はそれ以上の第１のバッテリからの及びタブレット部にある前記１又はそれ以上の第２のバッテリからの電圧の供給を制御する。
【００８８】
回路は、タブレット部にある１又はそれ以上の第２のバッテリによるベース部にある１又はそれ以上の第１のバッテリの充電を制御する。
【００８９】
少なくとも１つの実施形態において、コンピューティングシステムは、１又はそれ以上の第１のバッテリを受け入れるベース部（又はベース）と、１又はそれ以上の電子部品を有するタブレット部（又はタブレット）とを有してよい。タブレット部は、１又はそれ以上の第２のバッテリを受け入れ、タブレット部は、ベース部との間で着脱されるよう構成される。コンピューティングシステムは、タブレット部にある１又はそれ以上の第２のバッテリからのベース部にある１又はそれ以上の第１のバッテリの充電を制御する回路を更に有してよい。
【００９０】
タブレット部にある１又はそれ以上の第２のバッテリは、コンピューティングシステムが交流（ＡＣ）アダプタへ電気的に結合されていない場合に、ベース部にある１又はそれ以上の第１のバッテリを充電する。
【００９１】
回路は、ベース部にある１又はそれ以上の第１のバッテリからタブレット部にある１又はそれ以上の第２のバッテリを充電することを制御する。
【００９２】
少なくとも１つの実施形態において、装置は、少なくとも一部がハードウェアであるロジックを有し、ロジックは、着脱可能なコンピューティングシステムのタブレット部の１又はそれ以上の電子部品へベース部の１又はそれ以上の第１のバッテリから及びタブレット部の１又はそれ以上の第２のバッテリから電圧を供給する回路を制御する。
【００９３】
ロジックは、ベース部にある１又はそれ以上の第１のバッテリからタブレット部にある１又はそれ以上の第２のバッテリへ電圧を供給する回路を制御する。
【００９４】
ロジックは、ベース部にある１又はそれ以上の第１のバッテリから及び、同時に、タブレット部にある１又はそれ以上の第２のバッテリからタブレット部の１又はそれ以上の電子部品への電圧の供給を制御する回路を制御する。
【００９５】
ロジックは、少なくともタブレット部がターボモードにある場合に、ベース部にある１又はそれ以上の第１のバッテリから及びタブレット部にある１又はそれ以上の第２のバッテリからタブレット部の１又はそれ以上の電子部品へ電圧を供給する回路を制御する。
【００９６】
ロジックは、タブレット部にある１又はそれ以上の第２のバッテリによるベース部にある１又はそれ以上の第１のバッテリの充電を制御する回路を制御する。
【００９７】
少なくとも１つの実施形態において、装置は、少なくとも一部がハードウェアであるロジックを有し、ロジックは、着脱可能なコンピューティングシステムのベース部にある１又はそれ以上の第１のバッテリから着脱可能なコンピューティングシステムのタブレット部にある１又はそれ以上の第２のバッテリへ電圧を供給する回路を制御する。
【００９８】
ロジックは、タブレット部にある１又はそれ以上の第２のバッテリによるベース部にある１又はそれ以上の第１のバッテリの充電を制御する回路を制御する。
【００９９】
少なくとも１つの実施形態において、コンピュータ可読媒体は、電圧を供給するための命令を記憶してよい。命令は、着脱可能なコンピューティングシステムのタブレット部の１又はそれ以上の電子部品へベース部の１又はそれ以上の第１のバッテリから及びタブレット部の１又はそれ以上の第２のバッテリから電圧を供給する第１のコードを含む。
【０１００】
命令は、ベース部にある１又はそれ以上の第１のバッテリからタブレット部にある１又はそれ以上の第２のバッテリへ電圧を供給する第２のコードを含む。
【０１０１】
命令は、少なくともタブレット部がターボモードにある場合に、ベース部にある１又はそれ以上の第１のバッテリから及びタブレット部にある１又はそれ以上の第２のバッテリからタブレット部の１又はそれ以上の電子部品へ電圧を供給する第２のコードを含む。
【０１０２】
命令は、タブレット部にある１又はそれ以上の第２のバッテリによるベース部にある１又はそれ以上の第１のバッテリの充電を制御する第２のコードを含む。
【０１０３】
少なくとも１つの実施形態において、コンピュータ可読媒体は、電圧を供給するための命令を記憶してよい。命令は、着脱可能なコンピューティングシステムのベース部にある１又はそれ以上の第１のバッテリから着脱可能なコンピューティングシステムのタブレット部にある１又はそれ以上の第２のバッテリへ電圧を供給する第１のコードを含む。
【０１０４】
命令は、ベース部にある１又はそれ以上の第１のバッテリから及びタブレット部にある１又はそれ以上の第２のバッテリからタブレット部の１又はそれ以上の電子部品へ電圧を供給する第２のコードを含む。
【０１０５】
第２のコードは、少なくともタブレット部がターボモードにある場合に、ベース部にある１又はそれ以上の第１のバッテリから及びタブレット部にある１又はそれ以上の第２のバッテリからタブレット部の少なくとも１又はそれ以上の電子部品へ電圧を供給する。
【０１０６】
命令は、タブレット部にある１又はそれ以上の第２のバッテリによるベース部にある１又はそれ以上の第１のバッテリの充電を制御する第２のコードを含む。
【０１０７】
「１つの実施形態」、「実施形態」、「例となる実施形態」、等への本明細書中の言及は、実施形態に関連して記載される特定の機能、構成、又は特徴が少なくとも１つの実施形態に含まれることを意味する。本明細書中の様々な箇所におけるそのようなフレーズの出現は、必ずしも全てが同じ実施形態に言及しているわけではない。更に、特定の機能、構成、又は特徴がいずれかの実施形態に関連して記載される場合に、そのような機能、構成、又は特徴を他の１つの実施形態に関連して達成することは、当業者の範囲内にあると考えられる。
【０１０８】
実施形態は、その多数の実例となる実施形態を参照して記載されてきたが、多数の他の変更及び実施形態は、本開示の原理の主旨及び適用範囲内で当業者に想到され得ることが理解されるべきである。特に、様々な変形及び改良は、本開示、図面及び添付の特許請求の範囲の適用範囲内にある対象組み合わせ配置のコンポーネント部分及び／又は配置において可能である。コンポーネント部分及び／又は配置における変形及び改良に加えて、代替の使用も当業者に明らかであろう。
【０１０９】
［関連出願の相互参照］
本願は、２０１３年１月８日付けで出願された米国特許仮出願第６１／７５０３５３号に基づく優先権を主張する。なお、当該米国出願の対象は、参照により本願に援用される。
【図１】
2016503556.tif 000003
【図２】
2016503556.tif 000004
【図３】
2016503556.tif 000005
【国際調査報告】
2016503556.tif 000006
2016503556.tif 000007